(57)【特許請求の範囲】
【請求項１】
地面の縦穴に挿入、設置されるバネ機構部１２において、そのケーシング本体１の中心を通るワイヤー７の周囲に設置されたコイルバネ２を圧縮し、トリガー機構部６においてコイルバネ２の蓄圧を保持すると共に踏み板５の押圧によって前記トリガー機構部６のトリガー６Ａを解除し、前記コイルバネ２の伸張によってワイヤー７のトラップ３を絞り、捕獲対象動物の足をくくり付けるように構成された狩猟用のワイヤートラップであって、
前記バネ機構部１２を、コイルバネ２の下端を支持して圧縮状態で収納するケーシング本体１と、コイルバネ２の上端を支持してコイルバネ２の伸張時にケーシング本体１の内部から上方に可動し、トラップ３のクロス部３Ａに係合してトラップ３を絞るキャップ４とから構成し、
前記トリガー機構部６が、前記ケーシング本体１の上部に横軸芯周りに揺動自在に枢着された踏み板５と、前記ケーシング本体１の上部に可動自在に設けられ、且つその先端部６ａが前記踏み板５に係合できるように構成されたトリガー６Ａとから構成し、
更に、前記コイルバネ２を圧縮してセッティングした時の踏み板５の上面が、前記ケーシング本体１に収納されたキャップ４の上面に実質的に同一レベルになるように構成し、前記トリガー６Ａが前記キャップ４の上面を押さえ込んだ状態で前記踏み板５の一部に係合し、前記踏み板５の踏み込み揺動によってその係合が解除されるように構成した、狩猟用のワイヤートラップにおいて、
前記バネ機構部１２のケーシング本体１を、前記コイルバネ２を圧縮状態で収納するケーシング本体１と、該ケーシング本体１の下部に係脱自在の係合手段９でもってコイルバネ２の下端を支持するケーシング底部１Ａとから構成し、上記キャップ４をトリガー６Ａで押さえ込んで踏み板５にセッティングした後に、前記ケーシング底部１Ａを下から可動してコイルバネ２を圧縮してケーシング本体１に押し込み、前記係合手段９でもってケーシング本体１に固定するように構成したことを特徴とする、狩猟用のワイヤートラップ。
【請求項２】
地面の縦穴に挿入、設置されるバネ機構部１２において、そのケーシング本体１の中心を通るワイヤー７の周囲に設置されたコイルバネ２を圧縮し、トリガー機構部６においてコイルバネ２の蓄圧を保持すると共に踏み板５の押圧によって前記トリガー機構部６のトリガー６Ａを解除し、前記コイルバネ２の伸張によってワイヤー７のトラップ３を絞り、捕獲対象動物の足をくくり付けるように構成された狩猟用のワイヤートラップであって、
前記バネ機構部１２を、前記コイルバネ２を圧縮状態で収納するケーシング本体１と、該ケーシング本体１の下部に係脱自在の係合手段９でもってコイルバネ２の下端を支持するケーシング底部１Ａと、コイルバネ２の上端を支持してコイルバネ２の伸張時にケーシング本体１の内部から上方に可動し、トラップ３のクロス部３Ａに係合してトラップ３を絞るキャップ４とから構成し、
前記トリガー機構部６が、前記ケーシング本体１の上部に横軸芯周りに揺動自在に枢着された踏み板５と、前記ケーシング本体１の上部に可動自在に設けられ、且つその先端部６ａが前記踏み板５に係合できるように構成されたトリガー６Ａとから構成し、
前記コイルバネ２を圧縮してセッティングした時、前記トリガー６Ａが前記キャップ４の上面を押さえ込んだ状態で前記踏み板５の一部に係合し、前記踏み板５の踏み込み揺動によってその係合が解除されるように構成し、
更に、上記キャップ４をトリガー６Ａで押さえ込んで踏み板５にセッティングした後に、前記ケーシング底部１Ａを下から可動してコイルバネ２を圧縮してケーシング本体１に押し込み、前記係合手段９でもってケーシング本体１に固定するように構成した、狩猟用のワイヤートラップ。
【請求項３】
上記トリガー機構部６が、前記踏み板５の一部と前記ケーシング本体１の一部に係合する安全ピン１０を備えている、請求項１又は２に記載の狩猟用のワイヤートラップ。
【請求項４】
上記係合手段９が、前記ケーシング底部１Ａに設けた係合体９Ａと、ケーシング本体１の下端に設けた係合溝９Ｂとから構成されている、請求項２又は３に記載の狩猟用のワイヤートラップ。
【請求項５】
上記係合体９Ａが、前記ケーシング底部１Ａに直径方向に設けた中空軸で構成され、該中空軸に挿脱自在の引き棒１１を備えている、請求項４の狩猟用のワイヤートラップ。
【請求項６】
上記トリガー６Ａが、その基端部６ｂをリング６ｃで作動自在にケーシング本体１に取り付けられ、その先端部６ａが二又状に形成されて、前記踏み板５の支持板５Ａを挟む状態で踏み板５の下面に接当保持されるように構成されている、請求項１〜５のいずれか1項に記載の狩猟用のワイヤートラップ。
【発明の詳細な説明】
【０００１】
【産業上の利用分野】
本発明は、狩猟用のワイヤートラップに関し、更に詳しくは、猪、鹿等の地上歩行の動物の足を環状ワイヤーで捕捉して捕獲するのに用いるところの狩猟用のワイヤートラップに関する。
【０００２】
【従来の技術】
猪、鹿等の狩猟の手段として、猟銃を用いる他にワイヤートラップ（くくり罠）が用いられている。  ワイヤートラップは、猟銃に較べて熟練度を要することもなく、また、危険性も少なく一般人が簡単にセット出来、しかも、一旦、セットすれば持ち場を離れてもよいから、長時間銃を持ち歩いて狩猟する必要性もなく、罠にかかれば確実に捕獲できるという利点がある。
【０００３】
この種のワイヤートラップとしては、基本的には、環状ワイヤーを地面にセットし、ここに足を踏み入れた動物の動き（体重等）を利用してトリガー（掛け金）を外し、バネ力と動物が逃げようとする引っ張り力でワイヤーの環を絞り、足にくくりつけるようにして捕獲する構成となっている。
【０００４】
例えば、図６及び図７に示すのは、地面に縦穴を掘りセッティングするタイプの既に公知の一般に普及しているワイヤートラップであり、次のように構成されている。
地面の縦穴に挿入、設置されるバネ機構部１２が、コイルバネ２の一端を支持して圧縮状態で収納するケーシング本体１と、コイルバネ２の他端を支持してコイルバネ２の伸張時に上方に可動し、トラップ（環）３の結び目（二重クロス）に係合してトラップ３を絞るキャップ４とから構成され、更に、トリガー機構部６が、前記ケーシング本体１の支持体１Ａに横軸芯で枢着されたアーム８に、前記コイルバネ２に抗してキャップ４の突起４Ａを押さえるトリガー５Ａを備えた踏み板５を一体的に設けた構成されている。
【０００５】
そして、上記トラップ３は、上記踏み板５よりも大きな環になるように緩められて、その踏み板５が中に位置するように、その踏み板５の上にセットされる。
また、トラップ３を形成するワイヤー７の他端は、地面に打ち込んだアンカーや、大木の幹に結び付ける等して固定される。
従って、上述のようにセッティングされたトラップ３に捕獲対象動物が足を踏み入れ、その踏み板５を踏み込むと、図７に示す如く、この踏み板５がアーム８を介してその枢着部で揺動し、トリガー５Ａがキャップ４の突起４Ａから離れ、コイルバネ２が伸張してキャップ４が上方に飛び出し、ワイヤー７のトラップ３の結び目に係合して環を絞ることになり、ここに在る捕獲対象動物の足をくくり付けることになる。
【０００６】
【発明が解決しようとする課題】
この種のワイヤートラップは、確実な捕獲作用を行うことで信頼性のあるものであるが、次の問題を残している。
第一に、トリガー機構部６が、前記ケーシング本体１の上部で支持体１Ａに横軸芯で枢着され、前記コイルバネ２に抗してキャップ４の突起４Ａを押さえるトリガー５Ａを備えた踏み板５とから構成されている。  即ち、ケーシング本体１に枢着されたアーム８による踏み板５の揺動が行われなければならず、アーム８による踏み板５の大きな揺動を許容するためにキャップ４を含むトリガー機構部６が地上に突出した状態で設ける必要性がある。  換言すると、ワイヤートラップのレベル位置が高くなるということであって、ワイヤートラップのセッティングとして捕獲対象動物に気づかれる恐れのあるところから、非常に不利であるという点である。
【０００７】
第二に、上述した構成のトリガー機構部６とバネ機構部１２の構成によって、セッティングに際してコイルバネ２をキャップ４を介して上から圧縮する圧縮工程を先に行った後に、踏み板５に設けたトリガー５Ａをキャップ４の突起４Ａに係合させてキャップ４の上への飛び出しを押さえる方式であるので、コイルバネ２を圧縮しつつトリガー５Ａをキャップ４の突起４Ａに係合させることが中々に困難であって、セッティングが難しいという点である。
【０００８】
本発明は、上述した従来のワイヤートラップの問題点に鑑み、トラップのセッティングのレベルを低くして地面に近づけて捕獲対象動物に覚られないようにし、捕獲効率を高めると共にバネの圧縮を要するワイヤートラップのセッティングを容易に行うことが出来るようにすることを目的とする。
【０００９】
【課題を解決するための手段】
本発明にかかる狩猟用のワイヤートラップは、上記目的、特にトラップのセッティングのレベルを低くして地面に近づけて捕獲対象動物に覚られないようにし、捕獲効率を高めるという目的を達成するために、
地面の縦穴に挿入、設置されるバネ機構部１２において、そのケーシング本体１の中心を通るワイヤー７の周囲に設置されたコイルバネ２を圧縮し、トリガー機構部６においてコイルバネ２の蓄圧を保持すると共に踏み板５の押圧によって前記トリガー機構部６のトリガー６Ａを解除し、前記コイルバネ２の伸張によってワイヤー７のトラップ３を絞り、捕獲対象動物の足をくくり付けるように構成された狩猟用のワイヤートラップであって、
前記バネ機構部１２を、コイルバネ２の下端を支持して圧縮状態で収納するケーシング本体１と、コイルバネ２の上端を支持してコイルバネ２の伸張時にケーシング本体１の内部から上方に可動し、トラップ３のクロス部３Ａに係合してトラップ３を絞るキャップ４とから構成し、
前記トリガー機構部６が、前記ケーシング本体１の上部に横軸芯周りに揺動自在に枢着された踏み板５と、前記ケーシング本体１の上部に可動自在に設けられ、且つその先端部６ａが前記踏み板５に係合できるように構成されたトリガー６Ａとから構成し、
更に、前記コイルバネ２を圧縮してセッティングした時の踏み板５の上面が、前記ケーシング本体１に収納されたキャップ４の上面に実質的に同一レベルになるように構成し、前記トリガー６Ａが前記キャップ４の上面を押さえ込んだ状態で前記踏み板５の一部に係合し、前記踏み板５の踏み込み揺動によってその係合が解除されるように構成した、狩猟用のワイヤートラップにおいて、
前記バネ機構部１２のケーシング本体１を、前記コイルバネ２を圧縮状態で収納するケーシング本体１と、該ケーシング本体１の下部に係脱自在の係合手段９でもってコイルバネ２の下端を支持するケーシング底部１Ａとから構成し、上記キャップ４をトリガー６Ａで押さえ込んで踏み板５にセッティングした後に、前記ケーシング底部１Ａを下から可動してコイルバネ２を圧縮してケーシング本体１に押し込み、前記係合手段９でもってケーシング本体１に固定するように構成した、という手段を講じたものである。
【００１０】
本発明にかかる狩猟用のワイヤートラップは、上記目的、特にバネの圧縮を要するワイヤートラップのセッティングを容易に行うことが出来るようにし、以て、捕獲効率を高めるという目的を達成するために、
地面の縦穴に挿入、設置されるバネ機構部１２において、そのケーシング本体１の中心を通るワイヤー７の周囲に設置されたコイルバネ２を圧縮し、トリガー機構部６においてコイルバネ２の蓄圧を保持すると共に踏み板５の押圧によって前記トリガー機構部６のトリガー６Ａを解除し、前記コイルバネ２の伸張によってワイヤー７のトラップ３を絞り、捕獲対象動物の足をくくり付けるように構成された狩猟用のワイヤートラップであって、
前記バネ機構部１２を、前記コイルバネ２を圧縮状態で収納するケーシング本体１と、該ケーシング本体１の下部に係脱自在の係合手段９でもってコイルバネ２の下端を支持するケーシング底部１Ａと、コイルバネ２の上端を支持してコイルバネ２の伸張時にケーシング本体１の内部から上方に可動し、トラップ３のクロス部３Ａに係合してトラップ３を絞るキャップ４とから構成し、
前記トリガー機構部６が、前記ケーシング本体１の上部に横軸芯周りに揺動自在に枢着された踏み板５と、前記ケーシング本体１の上部に可動自在に設けられ、且つその先端部６ａが前記踏み板５に係合できるように構成されたトリガー６Ａとから構成し、
前記コイルバネ２を圧縮してセッティングした時、前記トリガー６Ａが前記キャップ４の上面を押さえ込んだ状態で前記踏み板５の一部に係合し、前記踏み板５の踏み込み揺動によってその係合が解除されるように構成し、
更に、上記キャップ４をトリガー６Ａで押さえ込んで踏み板５にセッティングした後に、前記ケーシング底部１Ａを下から可動してコイルバネ２を圧縮してケーシング本体１に押し込み、前記係合手段９でもってケーシング本体１に固定するように構成した、
という手段を講じたものである。
【００１２】
本発明において、上記トリガー機構部６が、前記踏み板５の一部と前記ケーシング本体１の一部に係合する安全ピン１０を備えているのが好ましい。
【００１３】
本発明において、上記係合手段９が、前記ケーシング底部１Ａに設けた係合体９Ａと、ケーシング本体１の下端に設けた係合溝９Ｂとから構成されているのが好ましい。
【００１４】
本発明において、上記係合体９Ａが、前記ケーシング底部１Ａに直径方向に設けた中空軸で構成され、該中空軸に挿脱自在の引き棒１１を備えているのが好ましい。
【００１５】
本発明において、上記トリガー６Ａが、その基端部６ｂをリング６ｃで作動自在にケーシング本体１に取り付けられ、その先端部６ａが二又状に形成されて、前記踏み板５の支持板５Ａを挟む状態で踏み板５の下面に接当保持されるように構成されているのが好ましい。
【００１６】
【発明の実施の態様】
本発明の狩猟用のワイヤートラップは、地面の縦穴に挿入、設置されるものである点で従来のワイヤートラップと変わるものではないが、キャップ４がケーシング本体１の内部に位置し、トリガー６Ａがケーシング本体１の上端のキャップ４の上を押さえた状態で踏み板５に係合してセッティングされる構成であるから、踏み板５の上面をケーシング本体１の上端の面に実質的に合わせた構成とすることができて、従来のようにケーシング本体１の上端及び踏み板５を地面から突出させる如きセッティングをしなくて済み、ケーシング本体１の上端、これに収納されるキャップ４の上面、踏み板５の上面のレベルを地面に沿うように低くすることが出来て、ワイヤートラップのセッティングが目立たないようにし、以て、捕獲対象動物に気づかれ難くすることができる。
【００１７】
そして、前記バネ機構部１２を、前記コイルバネ２を圧縮状態で収納するケーシング本体１と、該ケーシング本体１の下部に係脱自在の係合手段９でもってコイルバネ２の下端を支持するケーシング底部１Ａと、コイルバネ２の上端を支持してコイルバネ２の伸張時にケーシング本体１の内部から上方に可動し、トラップ３のクロス部３Ａに係合してトラップ３を絞るキャップ４とから構成し、該キャップ４をトリガー６Ａで押さえ込んで踏み板５にセッティングした後に、前記ケーシング底部１Ａを下から可動してコイルバネ２を圧縮してケーシング本体１に押し込み、前記係合手段９でもってケーシング本体１に固定するように構成したことで、先にトリガー６Ａのセッティングを完了した後にコイルバネ２の圧縮を下方から行うことができるので、コイルバネ２の圧縮、セッティング工程が非常に行い易い。
【００１８】
本発明において、上記トリガー機構部６が、前記踏み板５の一部と前記ケーシング本体１の一部に係合する安全ピン１０を備えている場合には、前記トリガー６Ａを踏み板５に係合させた後に、この係合状態を確実に維持できて、その後のコイルバネ２の圧縮工程を行うのに安全に行い得る。  そして、最終的にワイヤートラップのセッティングが終了した時点で、この安全ピン１０を外せば、罠のセッティングが完了することになる。
【００１９】
本発明において、上記係合手段９が、前記ケーシング底部１Ａに設けた係合体９Ａと、ケーシング本体１の下端に設けた係合溝９Ｂとから構成されている場合には、コイルバネ２を下から押し上げて圧縮した後に固定する際、このケーシング底部１Ａを回動してその係合体９Ａを係合溝９Ｂに嵌合させるだけで簡単に固定させることが出来る。
【００２０】
本発明において、上記係合体９Ａが、前記ケーシング底部１Ａに直径方向に設けた中空軸で構成され、該中空軸に挿脱自在の引き棒１１を備えている場合には、その係合体９Ａを利用して引き棒１１を貫通させ、以て、前記ケーシング底部１Ａの握りと共に引き棒１１を指に掛けることでコイルバネ２の圧縮作用を非常に行い易くできる。
【００２１】
また、本発明において、上記トリガー６Ａが、その基端部６ｂをリング６ｃで作動自在にケーシング本体１に取り付けられ、その先端部６ａが二又状に形成されて、前記踏み板５の支持板５Ａを挟む状態で踏み板５の下面に接当保持されるように構成されている場合には、このトリガー６Ａを、トラップ３（環状部／ループ状部）の中を通してキャップ４の上面を押さえてから支持板５Ａを挟み込んだ状態で安定して踏み板５の下面に接当保持できることになり、反面、踏み板５が捕獲対象動物によって踏みこまれた時には、その二又の方向に沿ってスムースに抜け易く、且つ、抜けた後は、トリガー６Ａの基端部６ｂのリング６ｃによってスムース且つフリーにキャップ４の上面から外れ易いのである。
【００２２】
尚、本発明におけるワイヤートラップのクロス部３Ａとは、二重巻等、一般の投げ縄等で用いる引っ張りでループの絞りが可能な結び目の他に、ワイヤー７の端部に、内側でワイヤー７の滑りが良好な環状体を一体的に設ける構造のものも含まれる。
また、ワイヤー７については、適宜の撚りワイヤーを用いてよく、その端部の固定についても、フックを用いたり、アンカーに係止したり、大木に結び付けたり、適宜の手段を用いて固定して良い。
【００２３】
【実施例】
本発明の狩猟用のワイヤートラップの好適実施例を、図面を参照して以下詳述する。
図１は、ワイヤートラップをセッティングした状態の一部切り欠きの側面図であり、図２は、トリガーのセッティング状態を示す斜視図であり、図３は、ワイヤートラップの作動状態を示す斜視図であり、図４は、ケーシング本体とケーシング底部との係合手段を示す分解斜視であり、図５は、コイルバネをセッティングする工程の縦断側面図である。
【００２４】
このワイヤートラップは、基本構成としては、地面の縦穴に挿入、設置されるバネ機構部１２において、そのケーシング本体１の中心を通るワイヤー７の周囲に設置されたコイルバネ２を圧縮し、トリガー機構部６においてコイルバネ２の蓄圧を保持すると共に踏み板５の押圧によって前記トリガー機構部６のトリガー６Ａを解除し、前記コイルバネ２の伸張によってワイヤー７のトラップ３を絞り、捕獲対象動物の足をくくり付けるように構成されている。
【００２５】
前記バネ機構部１２は、コイルバネ２の下端を支持して圧縮状態で収納するケーシング本体１と、コイルバネ２の上端を支持してコイルバネ２の伸張時にケーシング本体１の内部から上方に可動し、トラップ３のクロス部３Ａに係合してトラップ３を絞るキャップ４とから構成されている。
そして、この実施例では、前記バネ機構部１２は、前記コイルバネ２を圧縮状態で収納するケーシング本体１と、該ケーシング本体１の下部に係脱自在の係合手段９でもってコイルバネ２の下端を支持するケーシング底部１Ａと、コイルバネ２の上端を支持してコイルバネ２の伸張時にケーシング本体１の内部から上方に可動し、トラップ３のクロス部３Ａに係合してトラップ３を絞るキャップ４とから構成されている。
【００２６】
次いで、前記トリガー機構部６は、前記ケーシング本体１の上部に一体的にもけた支持体１ａにボルトとナットで緩く横軸芯周りに揺動自在に枢着された踏み板５と、前記ケーシング本体１の上部に可動自在に設けられ、且つその先端部６ａが前記踏み板５に係合できるように構成されたトリガー６Ａとから構成されている。  更に、前記コイルバネ２を圧縮してセッティングした時の踏み板５の上面が、前記ケーシング本体１に収納されたキャップ４の上面に実質的に同一レベルになるように構成し、前記トリガー６Ａが前記キャップ４の上面を押さえ込んだ状態で前記踏み板５の一部に係合し、前記踏み板５の踏み込み揺動によってその係合が解除されるように構成されている。  そして、前記ケーシング底部１Ａを下から可動してコイルバネ２を圧縮してケーシング本体１に押し込み、前記係合手段９でもってケーシング本体１に固定するように構成されている。
【００２７】
次いで、この実施例では、上記トリガー機構部６は、前記踏み板５の一部、ここでは、支持板５Ａと前記ケーシング本体１の一部、ここでは支持体１ａに共通する貫通孔６ｄに係合する安全ピン１０を備えている。
また、上記係合手段９は、前記ケーシング底部１Ａに設けた係合体９Ａと、ケーシング本体１の下端に設けた係合溝９Ｂとから構成されており、且つ、この係合体９Ａが、前記ケーシング底部１Ａに直径方向に設けた中空軸で構成され、該中空軸に挿脱自在の引き棒１１を備え、以て、係合体９Ａが引き棒１１の支持に兼用利用されるように構成されている。
尚、図１の部材番号１３は、上記ワイヤー７に固定のストッパーであり、トラップ３が絞られるときのコイルバネ２の伸張に伴うケーシング本体１の反力を受け止める。
【００２８】
更に、この実施例では、上記トリガー６Ａが、その基端部６ｂをリング６ｃで作動自在にケーシング本体１に取り付けられ、その先端部６ａが二又状に形成されて、前記踏み板５の支持板５Ａを挟む状態で踏み板５の下面に接当保持されるように構成されている。  上記リング６ｃは、これに代えて蝶番（ヒンジ）として、その一方をケーシング本体１に固定し、他方をトリガー６Ａに固定して、その横軸芯周りにトリガー６Ａが回動するように構成してもよい。
【００２９】
このように構成されたワイヤートラップは、所定の場所の地面に穿孔された縦穴にセッティングされることになるが、先ず、前記ケーシング底部１Ａがケーシング本体１から外れた状態、即ち、コイルバネ２が伸びた状態で、上記キャップ４を、その上面がケーシング本体１の上面に面一になるようにケーシング本体１の中に納め、トラップ３（ループ）を小さく形成しておいて、これにトリガー６Ａを通し、踏み板５を僅かにその横軸芯周りに揺動させて斜めにしておき、前記トリガー６Ａを、キャップ４の上面を押さえ込んだ状態で、そのトリガー６Ａの先端部６ａの二又をその踏み板５の支持板５Ａに挟み込む状態で挿入しながら踏み板５を水平になるように回動させる。  これによって、トリガー６Ａの先端部６ａの二又はその踏み板５の下面に接当する状態となる。
【００３０】
しかる後、安全ピン１０を、共通の貫通孔６ｄに通して踏み板５の支持板５Ａとケーシング本体１の支持体１ａとを、回動しないように固定する。
次いで、ケーシング底部１Ａに引き棒１１を挿通し、ここに指を掛けて下方からコイルバネ２を圧縮しながらケーシング本体１の内部に納めて行く。
そして、コイルバネ２の圧縮工程が終わると、そのケーシング底部１Ａを僅かに回動させ、ケーシング底部１Ａの係合手段９である前記ケーシング底部１Ａに設けた係合体９Ａをケーシング本体１の下端に設けた係合溝９Ｂに係合させ、以て、ケーシング底部１Ａをケーシング本体１に固定するのである。
【００３１】
この後は、最終段階として、ワイヤー７の先端部のトラップ３（ループ）は、そのループを所定の径（踏み板５よりも僅かに大きく）になるように拡げ、そのケーシング本体１を縦穴にセッティング（この際、踏み板５、ケーシング本体１の上端は、本発明の構成により地面すれすれに位置させることが可能）した後に、ワイヤー７の基端部を適宜の手段（フック）を用いて、所定の大木乃至アンカーに固定する。  勿論、前記トラップ３（ループ）は、枯れ葉、枯れ草等で覆ってカムフラージュされる。
そして、最終ステップとして、上述した安全ピン１０を抜き去ることによってワイヤートラップが完成するのである。
【００３２】
そこで、捕獲対象動物、例えば、猪が上述したワイヤートラップに近づき、その足が踏み板５（当然ながら、この下には可動を許す窪みが形成されている）を踏み込むと、この踏み板５はその横軸芯周りに回動し、この踏み板５の下面と支持板５Ａに係合されてたトリガー６Ａが外れることになる。
この際、トリガー６Ａが、コイルバネ２の反発力に抗してキャップ４の上面を押さえ込んでいるので、そのトリガー６Ａの係合が解かれると、コイルバネ２の反発力によってトリガー６Ａは弾き飛ばされ、その基端部６ｂのリング６ｃのフリーの止め手段によって完全にキャップ４の上面から外れることになる。
その結果、コイルバネ２は上方に向けて伸張し、その先端に位置するキャップ４がトラップ３（ループ）のクロス部３Ａに接当してこれを押し、以てトラップ３のループの径を絞り込んで、このトラップ３を猪の足に食い込ませるようにくくり付けることになる。
【００３３】
以上の通り、本発明の実施例について詳述したが、本発明の各構成要素は、本発明の目的を達成できる範囲において、一部を可変させることが出来ることは言うまでもない。
【００３４】
【発明の効果】
本発明の狩猟用のワイヤートラップによれば、従来に較べて、ケーシング本体及び踏み板のレベルを下げて地面すれすれにセッティングすることができ、捕獲対象動物にワイヤートラップの存在を気づかれることが無くなり、捕獲効率を上げることが出来る顕著な効果を奏するに至ったものである。
そして、コイルバネの圧縮工程を要するセッティングに際し、これを、トリガーのセッティングを完了した後で下方から圧縮して固定することが出来るので、従来のコイルバネを圧縮した後で、コイルバネの反発力に抗しながらトリガーをセッティングするが如き面倒もなく、簡単にセッティングできるという利点があある。
本発明のその他の具体的な利点は、上述した発明の実施の態様の項及び実施例の項において詳述した通りである。
【図面の簡単な説明】
【図１】本発明にかかる狩猟用のワイヤートラップのワイヤートラップをセッティングした状態の一部切り欠きの全体側面図である。
【図２】本発明にかかる狩猟用のワイヤートラップのトリガーのセッティング状態を示す斜視図である。
【図３】本発明にかかる狩猟用のワイヤートラップの作動状態を示す斜視図である。
【図４】本発明にかかる狩猟用のワイヤートラップのケーシング本体とケーシング底部との係合手段を示す分解斜視である。
【図５】本発明にかかる狩猟用のワイヤートラップのコイルバネをセッティングする工程の縦断側面図である。
【図６】従来技術を示すワイヤートラップのワイヤートラップをセッティングした状態の一部切り欠きの全体側面図である。
【図７】従来技術を示すワイヤートラップの作動状態を示す要部の側面図である。
【符号の説明】
１  ケーシング本体
１Ａ  ケーシング底部
１ａ  支持体
２  コイルバネ
３  トラップ
３Ａ  クロス部
４  キャップ
５  踏み板
５Ａ  支持板
６  トリガー機構部
６Ａ  トリガー
６ａ  先端部
６ｂ  基端部
６ｃ  リング
７  ワイヤー
９  係合手段
９Ａ  係合体
９Ｂ  係合溝
１０  安全ピン
１１  引き棒
１２  バネ機構部
【図１】
0004463401.tif 000002
【図２】
0004463401.tif 000003
【図３】
0004463401.tif 000004
【図４】
0004463401.tif 000005
【図５】
0004463401.tif 000006
【図６】
0004463401.tif 000007
【図７】
0004463401.tif 000008